(57)【要約】【課題】反り防止性能に優れ、構造が比較的簡易であり、多くの人が楽に開閉操作を行うことができる引き戸用の建具。【解決手段】スライド方向Ｘの前後に位置する２側面２１，２２それぞれに縦溝が形成された木製の建具本体２と、基部３１及び該基部より厚みの薄い突条部３２を有する断面凸字状の２つの側縁部形成材３，３とを備えた引き戸用の建具１であり、２つの側縁部形成材３，３それぞれは、突条部の一部又は全体が金属材からなり且つ該突条部を前記縦溝２３に嵌合させた状態で建具本体の２側面に固定されており、少なくとも一方の側縁部形成材３の基部と建具本体の側面との間に引き手として使用可能な溝５が形成されている。【選択図】図１
2008202360.tif 000002
【特許請求の範囲】
【請求項１】
スライド方向の前後に位置する２側面それぞれに縦溝が形成された木製の建具本体と、基部及び該基部より厚みの薄い突条部を有する断面凸字状の２つの側縁部形成材とを備えた引き戸用の建具であって、
２つの前記側縁部形成材それぞれは、前記突条部の一部又は全体が金属材からなり且つ該突条部を前記縦溝に嵌合させた状態で前記建具本体の２側面に固定されており、
少なくとも一方の前記側縁部形成材の前記基部と前記建具本体の側面との間に、引き手として使用可能な溝が形成されている引き戸用の建具。
【請求項２】
前記金属材が断面コ字状の長尺材である、請求項１記載の引き戸用の建具。
【発明の詳細な説明】
【技術分野】
【０００１】
本発明は、引き戸用の建具に関する。
【背景技術】
【０００２】
木造住宅等の木造建築物においては、建物や部屋の出入口の開閉等に用いられる引き戸として木製の建具が多用されている。木製の建具には、反りが生じやすいため、建具の反りを防止する技術が提案されている（例えば、特許文献１参照）。
しかし、従来の反り防止技術は、建具の構造や製造工程をかなり複雑化させるものが多かった。また、従来の反り防止技術は、反り防止のみを目的とするものが殆どであり、他の機能を併せ持たせたものは少なかった。
【０００３】
【特許文献１】特開平９−１４４４３９号公報
【発明の開示】
【発明が解決しようとする課題】
【０００４】
本発明の目的は、反り防止性能に優れ、構造が比較的簡易であり、多くの人が楽に開閉操作を行うことのできる、引き戸用の建具を提供することにある。
【課題を解決するための手段】
【０００５】
本発明は、スライド方向の前後に位置する２側面それぞれに縦溝が形成された木製の建具本体と、基部及び該基部より厚みの薄い突条部を有する断面凸字状の２つの側縁部形成材とを備えた引き戸用の建具であって、２つの前記側縁部形成材それぞれは、前記突条部の一部又は全体が金属材からなり且つ該突条部を前記縦溝に嵌合させた状態で前記建具本体の２側面に固定されており、少なくとも一方の前記側縁部形成材の前記基部と前記建具本体の側面との間に、引き手として使用可能な溝が形成されている引き戸用の建具を提供することにより、上記目的を達成したものである。
【発明の効果】
【０００６】
本発明の引き戸用の建具は、反り防止性能に優れ、構造が比較的簡易であり、多くの人が楽に開閉操作を行うことができる。
【発明を実施するための最良の形態】
【０００７】
以下、本発明の引き戸用の建具をその好ましい実施形態に基づいて説明する。
図１は、本発明の一実施形態である引き戸用の建具１を示す斜視図であり、図２（ａ）は、図１のＩＩ−ＩＩ線部分断面図である。
本実施形態の建具１（以下、建具１ともいう）は、建物又は部屋の出入口の上下に配された溝やレールに案内されてスライドして、該出入口を開閉する引き戸用の建具である。
【０００８】
図１及び図２に示すように、建具１は、建具本体２と、２つの側縁部形成材３，３とを備えてなる。建具本体２は、木製である。木製には、木材又は木材由来の材料を主な形成素材とするものであり、木材又は木材由来の材料には、無垢材、集成材、合板、ＬＶＬ、ＭＤＦ、パーティクルボード等が含まれる。
建具本体２としては、従来の建具と同様の構造を有するものを用いることができ、例えば、板材と棒状材とを組み合わせてなるものや、その全体が一枚の厚みのある板からなるもの等を用いることができる。板材と棒状材とを組み合わせてなるものとしては、図３に示すように、上下２本の枠材４１，４２と左右２本の枠材４３,４４とからなる矩形状の枠体４５の両面それぞれに板材４６、４７が固定されてなるもの等を用いることができる。矩形状の枠体４５の内側には、例えば図４に示すような態様で補強材４８が配されていても良い。
【０００９】
建具本体２は、図１及び図２に示すように、スライド方向（図中Ｘ方向）の前後に位置する２側面２１，２２それぞれに、断面コ字状の縦溝２３が形成されている。本実施形態の建具１においては、建具本体２の一方の側面２１と他方の側面２２とに、縦溝２３が略同形状に形成され、該縦溝２３を介して同一構成の側縁部形成材３，３が同様の態様で固定されているため、以下においては、主に一方の側面２１側について説明するが、他方の側面２２側についても同様であり、同じ説明が適用される。
【００１０】
建具本体２の側面２１に形成された縦溝２３は、該側面２１の幅方向中央部に、該側面２１の長手方向に沿って形成されている。本実施形態における縦溝２３は、建具本体２の高さ方向の略全長に亘って形成されている。
【００１１】
そして、この縦溝２３に、図２に示す、断面凸字状の側縁部形成材３が嵌合している。側縁部形成材３は、建具本体２の側面２１の長手方向の長さと同程度の長さを有している。側縁部形成材３の長さは、建具本体２の側面２１の長手方向の長さ（図１中、Ｙ方向の長さ）の６０％以上であることが好ましく、８０〜１００％がより好ましく、９０〜１００％であることが更に好ましい。
【００１２】
側縁部形成材３は、図２に示すように、建具本体２の厚み方向と同方向の寸法である厚みが比較的厚い基部３１と、同方向の厚みが該基部３１より薄い突条部３２を有する断面凸字状の長尺材である。
建具本体２の厚みＴ２〔図２（ｂ）参照〕に対する基部３１の厚みＴ１〔図２（ｂ）参照〕の比（Ｔ１／Ｔ２）は、例えば５０〜２００％とすることができるが、建具１を戸袋に収容したり、２枚を組み合わせて引き違い戸としたりしたときに、戸袋や他方の建具と干渉しないようにする観点、更には後述する、引き手として使用可能な溝の深さを確保する観点等から、前記比（Ｔ１／Ｔ２）は、７０〜１３０％が好ましく、より好ましくは８０〜１２０％であり、更に好ましくは１００％±５％以内である。
【００１３】
突条部３２は、基部３１の厚み方向の中央部から突出しており、基部３１及び側縁部形成材３の全長に亘って形成されている。本実施形態における突条部３２は、図２に示すように、その表面が、断面コ字状の長尺状の金属材３３から形成されており、その内部３４は、基部３１を形成する材料と一体をなす木材又は木材由来の材料から形成されている。
断面コ字状の長尺状の金属材３３としては、市販の金属材、たとえば、野縁受け材や金属天井下地の親骨構造を造る部材等に用いられている、いわゆるＣ型チャンネル材と呼ばれる金属材等を用いることもできる。金属材３３の形成材料としては、鉄（炭素鋼、ステンレス鋼等の鋼材を含む）、アルミ、その他、建築用の金物や金具の材料として用いられている各種の材料が挙げられる。
【００１４】
そして、側縁部形成材３は、突条部３２の先端から所定幅の部分が前記縦溝２３に嵌合している。本発明における嵌合には、突条部３２の全体が縦溝２３内に収まる嵌合も含まれるが、少なくとも一方の側縁部形成材３の嵌合は、図２（ａ）に示すように、基部３１と建具本体の側面２１との間に所定の隙間が形成されるような嵌合である。
本実施形態の建具１においては、何れの側縁部形成材３，３も、図２（ａ）に示すように、基部３１と建具本体の側面２１との間に所定の隙間が形成されるように嵌合させてあり、それにより、建具１のスライド方向の前後それぞれに、引き手として使用可能な溝５が形成されている。尚、側縁部形成材３の長手方向には、所定の間隔で孔３５が形成されており、図２（ａ）に示すように、これらの孔３５を介して、ネジや釘等の棒状固定具６を用いて側縁部形成材３を建具本体２に強固に固定可能である。
【００１５】
本実施形態の建具１によれば、金属材３３によって高い曲げ剛性を付与された側縁部形成材３の突条部３が、建具本体２の側面の縦溝２３に嵌合しているため、木製の建具本体２を有するにも拘わらず、反りが生じ難い。このような効果は、建具の高さを一般的なものに比べて高くする場合に特に有益である。
反り防止の観点から、建具本体２に対する突条部の嵌合深さ（縦溝２３の深さ）Ｄ〔図２（ａ）参照〕は、２〜５０ｍｍであることが好ましく、より好ましくは３〜３０ｍｍであり、更に好ましくは５〜２０ｍｍである。
【００１６】
また、本実施形態の建具１によれば、側縁部形成材３を、基部３１と側面２１との間に、引き手として使用可能な溝５が形成されるように固定してあるので、引き戸用の建具として用いたときに、図１に示すように、高さ方向の幅広い範囲に亘って該溝５が存在する。
そのため、背の低い人も高い人も、自分の身長に応じて手を掛け易い位置に手を掛けて建具１を引いてスライドさせることできる。車椅子を利用する人も同様であり、一番楽な高さに手を掛けて、建具１を引いてスライドさせることができる。
このように、本実施形態の建具１によれば、多くの人が楽に開閉操作を行うことができ、ユニバーサルデザインの観点からも優れている。
【００１７】
引き手として使い易い溝５とする観点から、基部３１と建具本体２の側面２１との間の隙間の幅Ｗ〔図２（ａ）参照〕は７〜５０ｍｍとすることが好ましく、より好ましくは１０〜３０ｍｍである。同様の観点から、溝５の深さ（本実施形態においては、基部３１の厚みＴ１と突条部３２の厚みＴ３との差の１／２）は、３〜４０ｍｍとすることが好ましく、より好ましくは５〜３０ｍｍである。
【００１８】
更に、本実施形態の建具１によれば、戸袋に収容するように用いた場合、戸袋側の押縁も不要である等の利点もある。
【００１９】
以上、本発明の一実施形態について説明したが、本発明は、上記実施形態に制限されず、適宜変更可能である。
例えば、上記実施形態においては、建具１のスライド方向の前後それぞれに、引き手として使用可能な溝５，５を形成したが、建具本体２の２側面２１，２２のうちの一方のみに、そのような溝５が生じるように側縁部形成材３を固定し、他方には、そのような溝５が生じないように側縁部形成材３を固定しても良い。
また、側縁部形成材３は、図５に示すような構造であっても良い。図５（ａ）に示す側縁部形成材３においては、断面コ字状の金属材３３からなる突条部３２の内部が中空になっている。図５（ｂ）に示す側縁部形成材３においては、突条部３２が、断面ロ字状の金属管（長尺材）３３Ａからなる。図５（ｃ）に示す側縁部形成材３においては、側縁部形成材３の全体が、断面凸字状の中空の金属管３３Ｂ（長尺材）からなり、図５（ｄ）に示す側縁部形成材３においては、側縁部形成材３の全体が、断面凸字状の中実の金属棒（長尺材）からなる。図５に示す側縁部形成材３について、特に説明しない点は、図２に示す側縁部形成材３と同様である。
【００２０】
本発明の引き戸用の建具は、間仕切り壁や外壁に形成された出入り用の開口部を開閉するための片引き戸、引き違い戸等として好ましく用いることができる。また、図示しないが、建具本体２や側縁部形成材３の表面は化粧シートや化粧紙等で被覆してあっても良い。
【図面の簡単な説明】
【００２１】
【図１】図１は、本発明の一実施形態である引き戸用の建具を示す斜視図である。
【図２】図２（ａ）は、図１のＩＩ−ＩＩ線部分断面図であり、図２（ｂ）は、側縁部形成材を建具本体に固定する前の状態を示す図である。
【図３】図３は、建具本体の構造の一例を示す一部破断図である。
【図４】図４は、建具本体の構造の他の例を示す一部破断図である。
【図５】本発明の他の実施形態である引き戸用の建具を示す模式断面図である。
【符号の説明】
【００２２】
１  建具（引き戸用の建具）
２  建具本体
２１，２２  スライド方向前後の側面
２３  縦溝
３  側縁部形成材
３１  基部
３２  突条部
３３，３３Ａ〜Ｃ  金属材
３４  突条部の内部
５  引き手として使用可能な溝
６  棒状固定具
【図１】
2008202360.tif 000003
【図２】
2008202360.tif 000004
【図３】
2008202360.tif 000005
【図４】
2008202360.tif 000006
【図５】
2008202360.tif 000007